(57)【要約】【課題】マイナスイオン発生物質を飲食用器具に適用することを可能にする飲食用器具に用いるシール用パッキン及びこのパッキンを用いた飲食用器具を提供すること。【解決手段】飲食用器具に用いるシール用パッキンにマイナスイオン発生物質を含有せしめる。【選択図】  図１
2004155455.tif 000002
【特許請求の範囲】
【請求項１】
飲食用器具に用いるシール用パッキンにおいて、マイナスイオン発生物質を含有せしめたことを特徴とするシール用パッキン。
【請求項２】
マイナスイオン発生物質としてマイナスイオンセラミックスの微粒子を用いたことを特徴とする請求項１記載のシール用パッキン。
【請求項３】
請求項１又は２記載のシール用パッキンを用いた飲食用器具。
【請求項４】
パッキンの装着部と飲食物の収容部とを区画する隔壁に複数の連通部を形成したことを特徴とする請求項３記載の飲食用器具。
【請求項５】
飲食用器具の本体部分にマイナスイオン発生物質を含有せしめたことを特徴とする飲食用器具。
【請求項６】
マイナスイオン発生物質としてマイナスイオンセラミックスの微粒子を用いたことを特徴とする請求項５記載の飲食用器具。
【発明の詳細な説明】
【０００１】
【発明の属する技術分野】
本発明は、飲食用器具に用いるシール用パッキン及び飲食用器具に関する。
【０００２】
【従来の技術】
従来の飲食用器具、例えば、弁当箱、水筒、保存容器等に用いられるシール用パッキンは、熱のほか、油、酸等に対する耐性に優れたシリコンゴム製のものが汎用されている。
【０００３】
ところで、従来のシリコンゴム製のシール用パッキンは、飲食用器具の気密性を保持し、飲食用器具から水分等が漏れ出ること防止する役割のみを担い、それ以上の付加価値を持つものは存在しなかった。
【０００４】
【発明が解決しようとする課題】
ところで、近年、トルマリンや貴陽石等のマイナスイオン発生物質が発生するマイナスイオンの種々の効能を利用したマイナスイオン応用製品が市場に多数登場し、一般消費者からもこれらの製品が支持されている。
【０００５】
そして、マイナスイオンの種々の効能に鑑みると、マイナスイオンは、弁当箱、水筒、保存容器等の飲食用器具に適用しても有効であると考えられるが、これらの飲食用器具は、その構造上、マイナスイオン発生物質を組み込むことが困難であり、マイナスイオン発生物質を飲食用器具に適用した事例は存在しなかった。
【０００６】
本発明は、マイナスイオン発生物質を弁当箱、水筒、保存容器等の飲食用器具に適用することを可能にする飲食用器具に用いるシール用パッキン及び飲食用器具を提供することを目的とする。
【０００７】
【課題を解決するための手段】
上記目的を達成するため、本発明のシール用パッキンは、飲食用器具に用いるシール用パッキンにおいて、マイナスイオン発生物質を含有せしめたことを特徴とする。
【０００８】
このシール用パッキンは、シール用パッキンの素材であるシリコンゴム等にマイナスイオン発生物質を含有せしめるようにしているので、シール用パッキンと直接接したり、空気を介して接する飲食物に対して、浄化作用、抗菌作用、塩素濃度を低下作用等のマイナスイオンの種々の効能を作用させることができる。
【０００９】
この場合において、マイナスイオン発生物質としてマイナスイオンセラミックスの微粒子を用いることができる。
【００１０】
これにより、品質の安定したシール用パッキンを得ることができる。
【００１１】
そして、上記シール用パッキンは、そのまま飲食用器具に適用することができるが、特に、パッキンの装着部と飲食物の収容部とを区画する隔壁を設けた飲食用器具に適用するに当たっては、隔壁に複数の連通部を形成することができる。
【００１２】
これにより、パッキンの装着部と飲食物の収容部とを区画する隔壁を設けた飲食用器具の場合でも、隔壁に形成した連通部を介して、飲食物に対して、マイナスイオンの種々の効能を確実に作用させることができる。
【００１３】
また、同じ目的を達成するため、本発明の飲食用器具は、飲食用器具の本体部分にマイナスイオン発生物質を含有せしめたことを特徴とする。
ここで、「飲食用器具の本体部分」には、飲食用器具の蓋も含む。
【００１４】
この飲食用器具は、飲食用器具の本体部分の素材であるポリプロピレン樹脂やＡＳ樹脂等にマイナスイオン発生物質を含有せしめるようにしているので、内容物である飲食物に対して、直接、浄化作用、抗菌作用、塩素濃度を低下作用等のマイナスイオンの種々の効能を作用させることができる。
【００１５】
この場合において、マイナスイオン発生物質としてマイナスイオンセラミックスの微粒子を用いることができる。
【００１６】
これにより、品質の安定した飲食用器具を得ることができる。
【００１７】
【発明の実施の形態】
以下、本発明のシール用パッキン及び飲食用器具の実施の形態を図面に基づいて説明する。
【００１８】
本発明のシール用パッキンは、図１に示すように、従来、飲食用器具１に用いられているのと同様の形状をしたシール用パッキンＰにおいて、シール用パッキンの素材であるシリコンゴム等にマイナスイオン発生物質を含有せしめたものである。
【００１９】
このシール用パッキンＰは、シール用パッキンＰの素材であるシリコンゴム等にマイナスイオン発生物質を含有せしめるようにしているので、シール用パッキンＰと直接接したり、空気を介して接する飲食物に対して、浄化作用、抗菌作用、塩素濃度を低下作用等のマイナスイオンの種々の効能を作用させることができる。
【００２０】
この場合において、マイナスイオン発生物質としては、マイナスイオンセラミックス、トルマリン、貴陽石等のマイナスイオン発生物質を用いることができるが、特に、マイナスイオンセラミックスの微粒子を好適に用いることができる。
【００２１】
図２に、マイナスイオンセラミックス（長石）Ｓによるマイナスイオン発生理論を概略的に示す。
マイナスイオンセラミックスＳは、２種類以上の電位差の異なるセラミックスＳを配合することによって放電状態を作り、さらに振動を付与して放電力を高め、マイナスイオンを発生させるようにしたものである。
なお、ここでは、セラミックスＳに電位差をもたせるために、一方のセラミックスＳに波動処理を施し、その周囲に水和物Ｗを生じさせるとともに、このセラミックスＳの電位を上げると同時に振動を付与するようにしている。
【００２２】
本発明のシール用パッキンＰは、これらのマイナスイオン発生物質をシール用パッキンの素材であるシリコンゴム等に素材段階で練り込み（この場合、特に限定されるものではないが、マイナスイオン発生物質をシリコンゴム等の素材に１〜１０重量％程度練り込むようにする。）、シール用パッキンに成形したものである。
【００２３】
この場合、マイナスイオンをより効果的に発生させるために、マイナスイオン発生物質は、シール用パッキンＰの表面近傍に集中するように練り込むことが好ましい。
【００２４】
そして、このシール用パッキンＰは、そのまま飲食用器具に適用することができるが、図１に示すような、パッキンの装着部３と飲食物の収容部５側とを区画する隔壁４を設けた飲食用器具１の蓋２に適用するに当たっては、隔壁４を切り欠くことにより複数の連通部６を形成することが望ましい。
これにより、パッキンの装着部３と飲食物の収容部５側とを区画する隔壁４を設けた飲食用器具１の場合でも、隔壁４に形成した連通部６を介して、飲食物に対して、マイナスイオンの種々の効能を確実に作用させることができる。
なお、隔壁４に形成する連通部６は、図１に示す実施例では４箇所であるが、シール用パッキンＰの装着性等が損なわれない範囲でその数を増減することが可能である。
【００２５】
ところで、上記実施例の飲食用器具１においては、シール用パッキンＰの素材であるシリコンゴム等にマイナスイオン発生物質を含有せしめるようにしたが、このほか、飲食用器具の本体部分（蓋も含む。）の素材であるポリプロピレン樹脂やＡＳ樹脂等に、マイナスイオンセラミックス、トルマリン、貴陽石等のマイナスイオン発生物質を含有せしめるようにすることもできる。
なお、この場合、特に限定されるものではないが、マイナスイオン発生物質をポリプロピレン樹脂やＡＳ樹脂等の素材に０．５〜１０重量％程度練り込むようにする。）
これにより、内容物である飲食物に対して、直接、浄化作用、抗菌作用、塩素濃度を低下作用等のマイナスイオンの種々の効能を作用させることができる。
【００２６】
以上、本発明のシール用パッキン及び飲食用器具について、その実施例に基づいて説明したが、本発明は上記実施例に記載した構成に限定されるものではなく、その趣旨を逸脱しない範囲において適宜その構成を変更することができるものである。
【００２７】
【発明の効果】
本発明のシール用パッキンによれば、シール用パッキンの素材であるシリコンゴム等にマイナスイオン発生物質を含有せしめるようにしているので、シール用パッキンと直接接したり、空気を介して接する飲食物に対して、浄化作用、抗菌作用、塩素濃度を低下作用等のマイナスイオンの種々の効能を作用させることができ、人の健康に優しく、飲食物の鮮度保持効果を有する飲食用器具を、簡易に得ることができる。
【００２８】
また、マイナスイオン発生物質としてマイナスイオンセラミックスの微粒子を用いることにより、品質の安定したシール用パッキンを得ることができる。
【００２９】
そして、上記シール用パッキンは、そのまま飲食用器具に適用することができるが、特に、パッキンの装着部と飲食物の収容部とを区画する隔壁を設けた飲食用器具に適用するに当たっては、隔壁に複数の連通部を形成することにより、パッキンの装着部と飲食物の収容部とを区画する隔壁を設けた飲食用器具の場合でも、隔壁に形成した連通部を介して、飲食物に対して、マイナスイオンの種々の効能を確実に作用させることができる。
【００３０】
また、本発明の飲食用器具によれば、飲食用器具の本体部分の素材であるポリプロピレン樹脂やＡＳ樹脂等にマイナスイオン発生物質を含有せしめるようにしているので、内容物である飲食物に対して、直接、浄化作用、抗菌作用、塩素濃度を低下作用等のマイナスイオンの種々の効能を作用させることができ、人の健康に優しく、飲食物の鮮度保持効果を有する飲食用器具を、簡易に得ることができる。
【００３１】
また、マイナスイオン発生物質としてマイナスイオンセラミックスの微粒子を用いることにより、品質の安定した飲食用器具を得ることができる。
【図面の簡単な説明】
【図１】本発明のシール用パッキンを飲食用器具に適用した一実施例を示す分解斜視図である。
【図２】マイナスイオンセラミックスによるマイナスイオン発生理論を示す概略図である。
【符号の説明】
Ｐ  シール用パッキン
１  飲食用器具
２  蓋
３  パッキンの装着部
４  隔壁
５  飲食物の収容部
６  連通部
【図１】
2004155455.tif 000003
【図２】
2004155455.tif 000004